(57)【特許請求の範囲】
【請求項１】
ポンプケーシング内に回転自在に軸支された多段のロータ翼を有するロータと、
前記ロータ翼間に固定された多段のステータ翼を有するステータとを備えるターボ分子ポンプにおいて、
前記ポンプケーシングは、吸気口から内部に流入し、前記ロータ翼との衝突によって反跳するパーティクルをポンプケーシングの内部の内壁部に捕捉する捕捉手段を具備することを特徴とする、ターボ分子ポンプ。
【請求項２】
前記捕捉手段は、前記ロータの吸い込み側１段目のロータ翼よりも上流側のポンプケーシング内壁面に設けられ、前記ポンプケーシングの内部にパーティクルを捕捉する空間を形成するトラップスペースであることを特徴とする、請求項１に記載のターボ分子ポンプ。
【請求項３】
前記トラップスペースは、
前記ロータの吸い込み側１段目のロータ翼よりも上流側の内壁の内径を、前記ロータの吸い込み側１段目のロータ翼部における内壁の内径よりも大径とすることで形成することを特徴とする、請求項２に記載のターボ分子ポンプ。
【請求項４】
前記捕捉手段は、前記ロータの吸い込み側１段目のロータ翼よりも上流側のポンプケーシング内壁面に設けられ、突入したパーティクルを埋没させて捕捉する柔軟性を有する捕捉部材であることを特徴とする、請求項１に記載のターボ分子ポンプ。
【請求項５】
前記捕捉手段は、
前記ロータの吸い込み側１段目のロータ翼よりも上流側のポンプケーシング内壁面に設けられ、突入して反跳するパーティクルの跳ね返り速度を低下させる反発係数の小さな緩衝部材であることを特徴とする、請求項１に記載のターボ分子ポンプ。
【請求項６】
前記ロータの吸い込み側１段目のロータ翼よりも上流側のポンプケーシング内壁面に、柔軟性を有する捕捉部材又は反発係数の小さな緩衝部材を備えることを特徴とする、請求項２又は請求項３に記載のターボ分子ポンプ。
【請求項７】
前記ロータの吸い込み側の端部面の中央部分に凹部を備え、
前記凹部は、ロータの軸方向の断面形状において、
径方向の長さは軸方向の長さよりも長く、
軸方向の吸い込み側の端部は吸気口側に向かって開口し、
軸方向の吐き出し側は有底として内底部を形成し、
軸方向の前記開口と内底部の中間部分の内径は、前記開口の内径及び前記内底部の内径よりも大径であることを特徴とする、請求項１から請求項６の何れか一つに記載のターボ分子ポンプ。
【請求項８】
前記ロータの吸い込み側の端部面の中央部分に、ロータの軸方向の断面形状において、径方向の長さが軸方向の長さよりも長く、軸方向の吸い込み側の端部は吸気口側に向かって開口し、軸方向の吐き出し側の端部は閉じて内底部を形成し、軸方向の前記両端部の中間部分の内径が前記開口の内径及び前記内底部の内径よりも大径である凹部を備えることを特徴とする、請求項１から請求項６の何れか一つに記載のターボ分子ポンプ。
【発明の詳細な説明】
【技術分野】
【０００１】
本発明は、ロータを高速回転させることによって高真空を得るターボ分子ポンプに関する。
【背景技術】
【０００２】
真空装置では、ターボ分子ポンプ等の吸引機構によって真空容器内等を吸引することによって真空状態を形成している。一般に、ターボ分子ポンプはステータとロータとを有するポンプユニットを備え、モータの電源駆動によってロータを回転させ、真空容器内を吸引・排気している。
【０００３】
成膜やドライ・エッチングなどを行う半導体製造装置では、反応生成物等のパーティクルや真空処理室内などの内壁に堆積した物質が剥離したパーティクル等が真空処理室で発生する。これらのパーティクルがウエハ上に付着した場合には、半導体デバイスの欠陥の原因となる。
【０００４】
半導体製造プロセスでは、微細加工が進むにつれて真空処理室内の圧力は、より低いことが求められている。このような低圧力では、真空処理室の下流に取り付けられたターボ分子ポンプから真空処理室内へのパーティクルの逆流が、圧力低下を妨げる原因として指摘されている（例えば、特許文献１、２）。
【０００５】
パーティクルがターボ分子ポンプ内に吸引されると、高速回転する回転翼と衝突して反跳し、真空処理室に逆流する。逆流したパーティクルは、ガス圧が有る程度高い場合には、ガスの抵抗力が比較的大きいため、真空処理室までは到達しないが、ガス圧力が低下すると、逆流距離が延びて真空処理室内にまで到達する。真空処理室に到達したパーティクルは、ウエハ上に達し、半導体の歩留まりを悪化させる。
【０００６】
上記した特許文献１，２には、この問題を解決する構成が提案されている。
【０００７】
特許文献１には、ポンプケーシング内において、微小塵防止用の静翼ディスクを最上流段の動翼よりも上流に設ける構成が提案されている。
【０００８】
また、特許文献２には、最も吸気側に位置する回転翼ブレードにおいて、吸気側の平面部の傾きを所定角に設定する構成が提案されている。この所定角は、吸気側平面の内向きの法線と、排気方向とのなす角を０度以上としている。
【特許文献１】特開平８−１４１８８号公報
【特許文献２】特開２００４−１９４９３号公報
【発明の開示】
【発明が解決しようとする課題】
【０００９】
一般に、成膜あるいはドライ・エッチングなどを行う半導体製造装置では、ウエハサイズの大型化や高真空プロセスへの移行に伴って、ターボ分子ポンプの排気性能を最大限に引き出す排気設計が求められている。そのため、排気性能の減少を極力抑えるには、パーティクルの真空処理室側への跳ね返りを低減させることが必要である。
【００１０】
上記特許文献１に提案される構成では、静翼ディスクが排気作用を邪魔するため、ポンプの排気速度が低下するという問題がある。また、多数の翼で構成されているため、コストが高くなるという問題もある。
【００１１】
また、上記特許文献２に提案される構成によれば、翼の上面で跳ね返るパーティクルの跳ね返り量を減らし、また、跳ね返ったパーティクルを接続配管の内面でさらに跳ね返すことができる。しかしながら、ロータ翼のエッジ（リーディングエッジ）部に跳ね返されたパーティクルが真空処理室方向に飛び出した場合、接続配管のＶ字溝で再びポンプ側に跳ね返されたとしても、これはパーティクルの往復運動を誘発するに過ぎず、一時的に真空処理室に到達するパーティクルが減少したとしても、いずれは飛び回るパーティクルの総量は増加し、真空処理室に到達するパーティクルが再び増加することになる。
【００１２】
したがって、上記提案された構成では、ターボ分子ポンプから真空処理室内へのパーティクルの逆流を十分に抑制することができないという問題がある。
【００１３】
そこで、本発明は上記課題を解決して、ターボ分子ポンプから真空処理室内へのパーティクルの逆流を抑制することを目的とする。
【００１４】
より詳細には、排気速度の低下を抑えると共に、吸気口から上流側へのパーティクルの跳ね返りを減少させ、これによってターボ分子ポンプから真空処理室内へのパーティクルの逆流を抑制することを目的とする。
【課題を解決するための手段】
【００１５】
本発明のターボ分子ポンプは、ポンプケーシング内に回転自在に軸支された多段のロータ翼を有するロータと、ロータ翼間に固定された多段のステータ翼を有するステータとを備えるターボ分子ポンプにおいて、真空処理室から飛来したパーティクルをターボ分子ポンプ内において捕捉、あるいはパーティクルが跳ね返るときの速度を小さくする構成を備え、これによって、吸気口から上流側へのパーティクルの跳ね返りを減少させ、ターボ分子ポンプから真空処理室内へのパーティクルの逆流を抑制する。
【００１６】
本発明は、飛来したパーティクルをターボ分子ポンプ内で捕捉する構成として、パーティクルを捕捉するトラップスペースや凹部を設ける第１の態様、パーティクルを埋没させて捕捉する第２の態様を備える。また、本発明は、パーティクルが跳ね返るときの速度を小さくする構成として、突入して反跳するパーティクルの跳ね返り速度を低下させる第３の態様を備える。
【００１７】
本発明の第１の態様は、ポンプケーシングの内部の内壁面に、吸気口から内部に流入したパーティクルを捕捉する構成を備える。
【００１８】
本発明の第１の態様において、第１の形態は、ポンプケーシングは、ロータの吸い込み側１段目のロータ翼よりも上流側の内部にパーティクルを捕捉するトラップスペースを備える。
【００１９】
吸気口から内部に流入したパーティクルは、ロータの吸い込み側１段目のロータ翼に衝突して反跳する。反跳したパーティクルはトラップスペース内に入り込む。このトラップスペースに入り込んだパーティクルは、ロータ翼と衝突した時の反発力によって、トラップスペースの内周の壁面に押し付けられ、トラップスペースからの飛び出しが抑制されている。このトラップスペースでパーティクルを捕捉することによって、ターボ分子ポンプから真空処理室内へのパーティクルの逆流を抑制する。
【００２０】
このトラップスペースは、ロータの吸い込み側１段目のロータ翼よりも上流側の内壁の内径を、このロータ翼部における内壁の内径よりも大径とすることで形成することができる。
【００２１】
本発明の第１の態様において、第２の形態は、ポンプケーシングの内部においてロータの吸い込み側の端部面の中央部分に凹部を備える。この凹部は、ロータの軸方向の断面形状において、径方向の長さは軸方向の長さよりも長くする。さらに、凹部は、軸方向の吸い込み側は吸気口側に向かって開口し、軸方向の吐き出し側を有底の内底部を形成する。この軸方向の開口と内底部との間にある中間部分は、その内径を開口の内径及び内底部の内径のいずれよりも大径とする。
【００２２】
吸気口から内部に流入したパーティクルは、凹部の開口を通って凹部内に入り込む。この凹部に入り込んだパーティクルは、ロータの回転によって生じる遠心力によって、凹部内の開口と内底部との中間部分の内壁面に押し付けられる。中間部分の内壁面の内径は、凹部の開口の内径及び内底部の内径のいずれよりも大径であるため、凹部からの飛び出しが抑制されている。この凹部でパーティクルを捕捉することによって、ターボ分子ポンプから真空処理室内へのパーティクルの逆流を抑制する。
【００２３】
第１の態様において、上記した第１の形態のトラップスペースの構成と凹部の構成とを組み合わせてもよい。この構成によれば、ロータ翼で反跳したパーティクルをトラップスペース内に捕捉することができ、また、ロータ翼で反跳せずにロータの上端に向かったパーティクルについては凹部内に捕捉することができるため、ターボ分子ポンプから真空処理室内へのパーティクルの逆流を抑制する。
【００２４】
本発明の第２の態様は、ロータの吸い込み側１段目のロータ翼よりも上流側のポンプケーシング内壁面に柔軟性を有する捕捉部材を備える。この捕捉部材は、突入したパーティクルを反跳させることなく、表面部分に埋没させて捕捉する素材であり、例えば、ゴム材、スポンジ材等を用いることができる。この捕捉部材に衝突したパーティクルは、捕捉部材の柔軟性によって運動エネルギーが吸収されると共に、ロータの回転によって生じる遠心力によって捕捉部材に押し付け、捕捉部材の表面に埋没するようにして止まる。この捕捉部材によるパーティクルの捕捉によって、ターボ分子ポンプから真空処理室内へのパーティクルの逆流を抑制する。
【００２５】
本発明の第３の態様は、ロータの吸い込み側１段目のロータ翼よりも上流側のポンプケーシング内壁面に反発係数の小さな緩衝部材を備える。この緩衝部材は、突入して反跳するパーティクルの跳ね返り速度を低下させる素材であり、例えば、テフロン（登録商標）等を用いることができる。この緩衝部材に衝突したパーティクルは、緩衝部材の低反発率によって反跳するパーティクルの跳ね返り速度がロータ翼やロータの上端面等の金属面に衝突して反跳したときの跳ね返り速度よりも低速となる。この緩衝部材によるパーティクルの跳ね返り速度の低下によって、ターボ分子ポンプから真空処理室内へのパーティクルの逆流を抑制する。
【００２６】
また、本発明は、上記した第１の態様は、上記した第２の態様あるいは第２の態様と組み合わせた構成としてもよい。例えば、トラップスペースの構成と捕捉部材と備える構成と組み合わせる構成、トラップスペースの構成と緩衝部材と備える構成と組み合わせる構成、凹部の構成と捕捉部材と備える構成と組み合わせる構成、凹部の構成と緩衝部材と備える構成と組み合わせる構成などとすることができる。
【発明の効果】
【００２７】
本発明によれば、ターボ分子ポンプから真空処理室内へのパーティクルの逆流を抑制する。また、排気速度の低下を抑えると共に、吸気口から上流側へのパーティクルの跳ね返りを減少させ、これによってターボ分子ポンプから真空処理室内へのパーティクルの逆流を抑制することができる。
【発明を実施するための最良の形態】
【００２８】
以下、本発明の実施の形態について、図を参照しながら詳細に説明する。
【００２９】
図1は本発明のターボ分子ポンプの概要、および、前記した本発明の第１の態様の一つである凹部を備える構成例を説明するための図である。
【００３０】
ターボ分子ポンプ１は、ポンプケーシング２内にモータ駆動されるロータ３を備える。ロータ３はロータ翼３ａを備え、ポンプケーシング２側に設けたステータ翼４ａに対して駆動モータ１０によって高速回転する。これによって、吸気口１２から吸引して排気口１３から排気し、吸気口１２に接続される真空処理室（図示していない）内の気体分子を排気する。なお、ステータ翼４ａはスペーサ５を介してポンプケーシング２に取り付けられステータ４を構成している。また、吸気口１２の上流側には保護ネット１４が設けられている。
【００３１】
ロータ３は、ロータ３と同軸に固定された駆動軸６をＤＣモータや高周波モータ等の駆動モータ１０を回転駆動させることで回転させている。駆動モータ１０は、駆動軸６に設けられた磁極とポンプケーシング２側に設けたコイルによって構成される。また、駆動軸６はラジアル軸受７及びアキシャル（スラスト）軸受８によって非接触で支持される。
【００３２】
ラジアル軸受７は、駆動軸６を挟んで対向して配置されたラジアル軸受電磁石と駆動軸６のラジアル方向に変位を検出するラジアル位置センサを有し、ラジアル位置センサで検出した位置変位に基づいてラジアル軸受電磁石に供給する電流を制御することによって、駆動軸６がラジアル方向で所定位置となるように位置制御を行う。なお、図１では、ラジアル軸受７は駆動モータ１０を挟んで上下に２組備えている。
【００３３】
また、アキシャル（スラスト）軸受８は、駆動軸６と同軸に設けたロータディスクと、このロータディスクを挟んで上下に設けたスラスト軸受電磁石と、駆動軸６のスラスト方向の変位を検出するアキシャル（スラスト）位置センサ１１を有し、アキシャル（スラスト）位置センサ１１で検出した位置変位に基づいてスラスト軸受電磁石に供給する電流を制御することによって、駆動軸６がアキシャル（スラスト）方向で所定位置となるように位置制御を行う。
【００３４】
本発明のターボ分子ポンプ１は、ポンプケーシング２内において、真空室等（図示していない）から飛来したパーティクル２０をターボ分子ポンプ内に捕捉する構成を備える。本発明は、このパーティクル２０をポンプケーシング１内に捕捉する構成は、凹部３０（以下、図１〜３を用いて説明する）、トラップスペース４０（以下、図４を用いて説明する）、捕捉部材５０（以下、図５を用いて説明する）、緩衝部材６０（以下、図６を用いて説明する）の各形態によって実現することができる。
【００３５】
図２は、パーティクルをポンプケーシング２内に捕捉する一形態である凹部の構成を示している。
【００３６】
凹部３０は、ロータ３の軸方向の端部面３ｂの中央部分に形成される。この凹部３０は、ロータ３の軸方向の断面形状において、径方向の長さ（Ｄａ、Ｄｂ、Ｄｃ）は軸方向の長さＨよりも長い横長の形状とする。
【００３７】
また、凹部３０は、軸方向の吸い込み側（吸気口側１２）の端部面３ｂを開口端３０ａとし、軸方向の吐き出し側は有底として内底部３０ｃを形成する。この軸方向の開口端３０ａと内底部３０ｃの間にある中間部分３０ｂは、その内径Ｄｂを開口の内径Ｄａ及び内底部の内径Ｄｃのいずれよりも大径とする。
【００３８】
吸気口１２側から飛来したパーティクル２０の内の一部は、ロータ３の端部面３ｂに向かう。ロータ３の中央部分は、ロータ翼３ａがロータ３の回転軸に取り付けられるロータ翼３ａの付け根部分であって翼が設けられていないか、あるいは、ロータ翼３ａの回転速度が低速である部分である。パーティクル４０がロータ３の中央部分に衝突して跳ね返る際には、ロータ３から運動量が与えられるが、衝突した箇所の回転速度が低速であるため、パーティクル４０に付与される運動量は小さい。そのため、ロータ３の中央部分で反跳したパーティクル４０は、運動量は小さく、仮に飛び出したとしても、吸気口１２を逆流して真空処理室までは到達することはない。
【００３９】
また、ロータ３の端部面３ｂに向かうパーティクル２０の一部は、端部面３ｂに形成した凹部３０の開口３０ａを通過して凹部３０内に入る。凹部３０内に入ったパーティクル２０ａは、ロータの回転による遠心力によって径方向の外側に向かう。凹部３０の内壁は、前記したように、中間部分３０ｂの内径Ｄｂは開口部分３０ａの内径Ｄａ及び内底部３０ｃの内径Ｄｃよりも大径に形成されているため、パーティクル２０ａは中間部分３０ｂの内壁部分に押し付けられる。これによって、凹部３０内に一旦入ったパーティクル２０ａは、開口部分３０ａを通って吸気口１２側に飛び出し、吸気口１２側に逆流することはない。
【００４０】
図３は凹部の別の構成例を説明するための図である。図３に示す凹部は、前記した内底部３０ｃの内径Ｄｃを開口３０ａの内径Ｄａよりも大径とし、開口３０ａの周縁部から内底部３０ｃの内縁部に向かって内径の大きさが単純増加する構成例である。この構成では、凹部３０のロータ３の軸方向で切り取った断面形状はほぼ台形形状となり、内壁面は傾斜面となる。なお、凹部３０の内壁部の壁面は、断面形状において、直線に限らず曲線であってもよい。
【００４１】
上記した図３の凹部構成の場合には、凹部３０内に入ったパーティクル２０ａは、ロータの回転による遠心力によって径方向の外側に向かうと共に、内壁の傾斜面に沿ってロータ軸方向の排気側に移動し、内底部３０ｃの内縁部に押し付けられて止まる。これによって、凹部３０内に一旦入ったパーティクル２０ａは、開口部分３０ａを通って吸気口１２側に飛び出し、吸気口１２側に逆流することはない。
なお、図１〜図３で説明した態様において、ロータ翼と衝突しないパーティクルを捕捉する技術事項は、本発明を理解するための参考例として記載するものである。
【００４２】
次に、本発明のターボ分子ポンプにおいて、ポンプケーシングの内部の内壁面に吸気口から内部に流入したパーティクルを捕捉する別の一形態であるトラップスペースの構成について、図４を用いて説明する。なお、トラップスペース以外の構成は、前記図１で示した構成と同様とすることができるため、ここでは共通する構成の説明は省略し、主にトラップスペースの構成について説明する。
【００４３】
図４において、ポンプケーシング２は、ロータ３の吸い込み側１段目のロータ翼３ａよりも上流側の内部にパーティクルを捕捉するトラップスペース４０を備える。トラップスペース４０は、ポンプケーシング２の吸気口１２とロータ３の吸い込み側１段目のロータ翼３ａとの空間部分において、ポンプケーシング２の壁部分を径方向で外側に向かって広げ、ロータ翼部３ａにおける内壁の内径よりも大径とすることにより構成することができる。この径方向で外側に向かって広がられた内壁が形成するスペース部分は、内部に入り込んだパーティクル２０ａを捕捉する空間を形成する。
【００４４】
吸気口１２からターボ分子ポンプ１の内部に流入したパーティクル２０は、直接に、あるいは、ロータの吸い込み側１段目のロータ翼で反跳した後、トラップスペース４０内に入り込む。このトラップスペース４０に入り込んだパーティクル２０ａは、ロータ翼３ａと衝突した時の反発力によって、トラップスペース４０の内周の壁面に押し付けられ、トラップスペース４０からの飛び出しが抑制されている。このトラップスペース４０でパーティクル２０ａを捕捉することによって、ターボ分子ポンプから真空処理室内へのパーティクルの逆流を抑制する。
【００４５】
次に、本発明のターボ分子ポンプにおいて、ポンプケーシングの内部の内壁面に吸気口から内部に流入したパーティクルを捕捉する更に別の一形態である捕捉部材の構成について、図５を用いて説明する。なお、捕捉部材以外の構成は、前記図１で示した構成と同様とすることができるため、ここでは共通する構成の説明は省略し、主に捕捉部材の構成について説明する。
【００４６】
図５において、ポンプケーシング２は、ロータ３の吸い込み側１段目のロータ翼３ａよりも上流側の内部の内壁面にパーティクルを捕捉する捕捉部材５０を備える。捕捉部材５０は、衝突したパーティクルの運動エネルギーを吸収して捕捉し、吸気口１２側への逆流を抑制する柔軟性を有する素材であり、例えば、ゴム材、スポンジ材、コットン材等の素材を用いることができる。図５では捕捉部材５０は斜線のハッチングで示している。
【００４７】
この捕捉部材５０は、ポンプケーシング２において、吸気口１２と１段目のロータ翼３ａとの間の内壁面の内側に、貼り付けや塗布等の任意の手段によって設けることができる。
【００４８】
吸気口１２からターボ分子ポンプ１の内部に流入したパーティクル２０が、直接に、あるいは、ロータの吸い込み側１段目のロータ翼で反跳した後、ポンプケーシング２の内壁面に設けられた捕捉部材５０に衝突すると、衝突したパーティクル２０ａは捕捉部材５０によってその運動エネルギーが吸収される。捕捉部材５０は、その柔軟性と共に、パーティクル２０ａを保持する捕捉性を有し、パーティクル２０ａをその表面に保持し、飛び出しを抑制する。この捕捉部材５０でパーティクル２０ａを捕捉することによって、ターボ分子ポンプから真空処理室内へのパーティクルの逆流を抑制する。
【００４９】
次に、本発明のターボ分子ポンプにおいて、ポンプケーシングの内部の内壁面に吸気口から内部に流入したパーティクルの跳ね返り速度を低下させる一形態である緩衝部材の構成について、図６を用いて説明する。なお、緩衝部材以外の構成は、前記図１で示した構成と同様とすることができるため、ここでは共通する構成の説明は省略し、主に捕捉部材の構成について説明する。
【００５０】
図６において、ポンプケーシング２は、ロータ３の吸い込み側１段目のロータ翼３ａよりも上流側の内部の内壁面にパーティクルの反跳速度を低下させる緩衝部材６０を備える。緩衝部材６０は、衝突したパーティクルの運動エネルギーを吸収して、反跳して跳ね返る際の速度を下げ、吸気口１２側への逆流を抑制する反発係数の小さな素材であり、例えば、テフロン（登録商標）等の素材を用いることができる。図６では緩衝部材６０は斜線のハッチングで示している。
【００５１】
この緩衝部材６０は、ポンプケーシング２において、吸気口１２と１段目のロータ翼３ａとの間の内壁面の内側に、貼り付けや塗布やコーティング等の任意の手段によって設けることができる。
【００５２】
吸気口１２からターボ分子ポンプ１の内部に流入したパーティクル２０が、直接に、あるいは、ロータの吸い込み側１段目のロータ翼で反跳した後、ポンプケーシング２の内壁面に設けられた緩衝部材６０に衝突すると、衝突したパーティクル２０ａは緩衝部材６０によってその運動エネルギーが吸収される。
【００５３】
緩衝部材６０で反跳したパーティクル２０ａの跳ね返り速度は、パーティクルがポンプケーシングを形成する金属材の表面に衝突して跳ね返るときの速度よりも小さくなる。これによって、仮に、緩衝部材６０で反跳したパーティクル２０ａが吸気口１２側に向かって跳ね返った場合であっても、その速度は、パーティクル２０ａが真空室（図示していない）に到達するに至らないため、ターボ分子ポンプから真空処理室内へのパーティクルの逆流は抑制される。
【００５４】
前記した図５，６で示した捕捉部材や緩衝部材による構成は、図１で示した凹部による構成や図４で示したトラップスペースによる構成と組み合わせることができる。
【００５５】
図７は、凹部３０の構成とトラップスペース４０を備えるターボ分子ポンプにおいて、トラップスペース４０の内壁部に捕捉部材５０あるいは緩衝部材６０を備える。
【００５６】
この構成によれば、ロータ３の中央部に流入したパーティクルは凹部内に捕捉され、ロータ３の外周方向に流入したパーティクルや、一段目のロータ翼で反跳したパーティクルは、トラップスペース４０内に捕捉される。
【００５７】
さらに、トラップスペース４０の内壁面に捕捉部材５０が設けられている場合には、パーティクルはこの捕捉部材５０に捕捉され、また、トラップスペース４０の内壁面に緩衝部材６０が設けられている場合には、パーティクルはこの緩衝部材６０によって跳ね返り速度が低下する。
【００５８】
捕捉部材５０や緩衝部材６０は、トラップスペース４０の内壁に限らず、トラップスペース４０と吸気口１２との間の内壁や、トラップスペース４０と１段目のロータ翼３の外周部分の壁部との間の内壁に設けても良い。
【００５９】
また、吸気口１２と１段目のロータ翼３ａとの間の内壁面の内側において、捕捉部材と緩衝部材との両方の素材を設置場所を異ならせて設けてもよい。例えば、トラップスペース４０の内壁のうちで、外周側の壁部に捕捉部材を設け、内周側の緩衝部材を設ける構成としても良い。
【図面の簡単な説明】
【００６０】
【図１】本発明のターボ分子ポンプの概要を説明するための図である。
【図２】本発明のパーティクルをポンプケーシング内に捕捉する一形態である凹部の構成を示す図である。
【図３】本発明のパーティクルをポンプケーシング内に捕捉する一形態である凹部の別の構成を説明するための図である。
【図４】本発明のパーティクルをポンプケーシング内に捕捉する一形態であるトラップスペースの構成を説明するための図である。
【図５】本発明のパーティクルをポンプケーシング内に捕捉する一形態である捕捉部材の構成を説明するための図である。
【図６】本発明のパーティクルの跳ね返り速度を低下させる一形態である緩衝部材の構成の構成を説明するための図である。
【図７】本発明の凹部の構成とトラップスペースの構成と捕捉部材、緩衝部材６０の構成との組み合わせを説明するための図である。
【符号の説明】
【００６１】
１…ターボ分子ポンプ、２…ポンプケーシング、３…ロータ、３ａ…ロータ翼、３ｂ…端部面、４…ステータ翼、４ａ…ステータ翼、５…スペーサ、６…駆動軸、７…ラジアル軸受、８…アキシャル軸受、９…タッチダウンベアリング、１１…ギャップセンサ、１２…吸気口、１３…排気口、１４…保護ネット、２０，２０ａ…パーティクル、３０…凹部、３０ａ…開口、３０ｂ…中間部分、３０ｃ…内底部、４０…トラップスペース、５０…捕捉部材、６０…緩衝部材。
【図１】
0004760424.tif 000002
【図２】
0004760424.tif 000003
【図３】
0004760424.tif 000004
【図４】
0004760424.tif 000005
【図５】
0004760424.tif 000006
【図６】
0004760424.tif 000007
【図７】
0004760424.tif 000008